(57)【要約】【課題】端末装置において情報を表示する際の利便性を向上させることができるプログラム、および端末装置の制御方法を提供することである。【解決手段】実施形態のプログラムは、表示部と通信部とを備える端末装置に、前記通信部を介して管理装置から取得した情報を前記表示部に表示させ、利用者の操作に基づく情報を、前記通信部を用いて前記管理装置に送信させる。前記プログラムは、前記端末装置に、前記表示部の表示面における所定箇所を取り囲むように配置された複数の第１画像であって、前記通信部を介して管理装置から取得されたコンテンツの属性を示す複数の第１画像を前記表示部に表示させる。また、前記プログラムは、前記コンテンツを呼び出すための一以上の第２画像を、前記第１画像のそれぞれに対応付けて前記表示部に表示させる。【選択図】図２
2019087109.tif 000002
【特許請求の範囲】
【請求項１】
表示部と通信部とを備える端末装置に、
前記通信部を介して管理装置から取得した情報を前記表示部に表示させ、
利用者の操作に基づく情報を、前記通信部を用いて前記管理装置に送信させるプログラムであって、
前記端末装置に、
前記表示部の表示面における所定箇所を取り囲むように配置された複数の第１画像であって、前記通信部を介して管理装置から取得されたコンテンツの属性を示す複数の第１画像を前記表示部に表示させ、
前記コンテンツを呼び出すための一以上の第２画像を、前記第１画像のそれぞれに対応付けて前記表示部に表示させる、
処理を実行させるプログラム。
【請求項２】
前記端末装置に、
前記表示部の表示面における前記所定箇所から見て前記第１画像の外側に前記第２画像を表示させる、
処理を実行させる請求項１記載のプログラム。
【請求項３】
前記端末装置に、
前記第１画像に対する操作に応じて前記第１画像のオン状態とオフ状態とを切り替えさせる、
処理を実行させる請求項１または２記載のプログラム。
【請求項４】
前記端末装置に、
オフ状態の前記第１画像に対応付けられた前記第２画像の表示を停止させる、
処理を実行させる請求項３記載のプログラム。
【請求項５】
前記端末装置に、
前記複数の第１画像のうち一部がオフ状態である場合、全ての前記第１画像がオン状態である場合に比して、オン状態である前記第１画像に対応する前記第２画像を、より広い領域に表示させる、
処理を実行させる請求項４記載のプログラム。
【請求項６】
前記端末装置に、
前記複数の第１画像を、円環状の領域を周方向に区切った領域にそれぞれ表示させる、
処理を実行させる請求項１から５のうちいずれか一項記載のプログラム。
【請求項７】
前記端末装置に、
前記円環状の領域の中央部に、前記第１画像に係る属性および前記第２画像に係るコンテンツのテーマを示す画像を表示させる、
処理を実行させる請求項６記載のプログラム。
【請求項８】
前記端末装置に、
前記テーマを示す画像が操作されるのに応じて、前記テーマを示す画像を切り替えさせ、
前記切り替えられたテーマに対応する前記第１画像および前記第２画像を表示させる、
処理を実行させる請求項７記載のプログラム。
【請求項９】
前記端末装置に、
利用者による所定の操作に応じて、前記第１画像を一方向に配列した画面を表示させる、
処理を実行させる請求項１から８のうちいずれか一項記載のプログラム。
【請求項１０】
表示部と通信部とを備える端末装置に、
前記通信部を介して管理装置から取得した設備点検に関する情報を前記表示部に表示させ、
利用者の操作により入力された前記設備点検の結果を示す情報を、前記通信部を用いて前記管理装置に送信させるプログラムであって、
前記端末装置に、
前記通信部を介して管理装置から取得された前記設備点検に関するコンテンツの属性を示す複数の第１画像を、一方向に配列して前記表示部に表示させ、
前記第１画像が操作されるのに応じて、前記操作された第１画像により示される属性を有する前記コンテンツを呼び出すための一以上の第２画像を、前記表示部に表示させる、
処理を実行させるプログラム。
【請求項１１】
前記端末装置に、
前記設備点検の結果の入力画面において、点検項目に応じた入力値の基準値を表示させる、
処理を実行させる請求項１０記載のプログラム。
【請求項１２】
前記端末装置に、
前記設備点検の結果の入力画面と並列に、点検個所を含む前記設備点検の対象の外観画像を表示させ、
前記外観画像上における点検個所のうち、前記設備点検の結果の入力画面において指定された点検項目に対応する点検個所を強調表示させる、
処理を実行させる請求項１０あるいは１１に記載のプログラム。
【請求項１３】
前記端末装置に、
前記設備点検の結果の入力画面と並列に、点検個所を含む前記設備点検の対象の外観画像を表示させ、
前記外観画像に対して描画された描画データを、前記管理装置にアップロードさせる、
処理を実行させる請求項１０から１２のうちいずれか一項に記載のプログラム。
【請求項１４】
表示部と通信部とを備える端末装置が、
前記通信部を介して管理装置から取得された情報を前記表示部に表示し、
利用者の操作に基づく情報を、前記通信部を用いて前記管理装置に送信し、
前記表示部の表示面における所定箇所を取り囲むように配置された複数の第１画像であって、前記通信部を介して管理装置から取得されたコンテンツの属性を示す複数の第１画像を前記表示部に表示させ、
前記コンテンツを呼び出すための一以上の第２画像を、前記第１画像のそれぞれに対応付けて前記表示部に表示させる、
端末装置の制御方法。
【請求項１５】
表示部と通信部とを備える端末装置が、
前記通信部を介して管理装置から取得した設備の点検に関する情報を前記表示部に表示させ、
利用者の操作により入力された前記設備の点検の結果を示す情報を、前記通信部を用いて前記管理装置に送信させ、
前記通信部を介して管理装置から取得された前記設備の点検に関するコンテンツの属性を示す複数の第１画像を、一方向に配列して前記表示部に表示させ、
前記第１画像が操作されるのに応じて、前記操作された第１画像により示される属性を有する前記コンテンツを呼び出すための一以上の第２画像を、前記表示部に表示させる、
端末装置の制御方法。
【発明の詳細な説明】
【技術分野】
【０００１】
本発明の実施形態は、プログラム、および端末装置の制御方法に関する。
【背景技術】
【０００２】
設備点検の現場では、各設備のマニュアルや過去の点検結果などを参照しながらの複雑な作業が求められている。近年は機器の高度化に伴い、点検内容が複雑化・高度化してきており、現場において参照される書面類が増加してきている。
【０００３】
これに関連し、例えば、作業者が身に着けるウェアラブルコンピュータに、作業者により選択された項目に関する情報を表示させる技術が知られている。
【０００４】
しかしながら、設備点検の作業頻度が年に数回である場合や、作業者が作業に不慣れな場合には、設備毎に異なるマニュアルや過去の点検結果などの情報を的確に選択し、端末装置に表示させることは非常に困難であった。このため、作業効率の低下や、検査の品質低下が生じる場合があった。
【先行技術文献】
【特許文献】
【０００５】
【特許文献１】特開２００３−２９５９７５号公報
【発明の概要】
【発明が解決しようとする課題】
【０００６】
本発明が解決しようとする課題は、端末装置において情報を表示する際の利便性を向上させることができるプログラム、および端末装置の制御方法を提供することである。
【課題を解決するための手段】
【０００７】
実施形態のプログラムは、表示部と通信部とを備える端末装置に、前記通信部を介して管理装置から取得した情報を前記表示部に表示させ、利用者の操作に基づく情報を、前記通信部を用いて前記管理装置に送信させる。前記プログラムは、前記端末装置に、前記表示部の表示面における所定箇所を取り囲むように配置された複数の第１画像であって、前記通信部を介して管理装置から取得されたコンテンツの属性を示す複数の第１画像を前記表示部に表示させる。また、前記プログラムは、前記コンテンツを呼び出すための一以上の第２画像を、前記第１画像のそれぞれに対応付けて前記表示部に表示させる。
【図面の簡単な説明】
【０００８】
【図１】実施形態の情報管理システム１の構成図である。
【図２】端末装置５０の構成図である。
【図３】階層管理データ５４２の内容の一例を示す図である。
【図４】地図対応データ５４３の内容の一例を示す図である。
【図５】ドキュメント管理データ５４４の内容の一例を示す図である。
【図６】カテゴリデータ５４５の内容の一例を示す図である。
【図７】点検項目データ５４６の内容の一例を示す図である。
【図８】点検結果データ５４７の内容の一例を示す図である。
【図９】設備外観データ５４８の内容の一例を示す図である。
【図１０】点検個所データ５４９の内容の一例を示す図である。
【図１１】マスタデータ５５０の内容の一例を示す図である。
【図１２】情報管理サーバ１００の構成図である。
【図１３】テーマ指定画面６１の一例を示す図である。
【図１４】メニュー画像を表示するメニュー画面６３の一例を示す図である。
【図１５】メニュー画像３００の一例を示す図である。
【図１６】オフ状態のカテゴリ画像３１０Ｃの一例を示す図である。
【図１７】ドキュメントデータが展開されていない展開画面４００の一例を示す図である。
【図１８】ドキュメントデータが展開された展開画面４００の一例を示す図である。
【図１９】ドキュメントデータを閉じる操作について説明するための図である。
【図２０】ドキュメントデータを閉じる操作の後の画面例を示す図である。
【図２１】点検項目画面６５の一例を示す図である。
【図２２】外観画面６７の一例を示す図である。
【図２３】履歴画面６９の一例を示す図である。
【図２４】直列メニュー画像を表示するメニュー画面７１の一例を示す図である。
【図２５】テーマ表示制御部５５３による表示制御方法の流れの一例を示すフローチャートである。
【図２６】メニュー表示制御部５５４による表示制御方法の流れの一例を示すフローチャートである。
【図２７】メニュー表示制御部５５４によるメニュー画像の生成方法の流れの一例を示すフローチャートである。
【図２８】メニュー画像に対する操作処理の流れの一例を示すフローチャートである。
【図２９】入力表示制御部５５５による表示制御方法の流れの一例を示すフローチャートである。
【図３０】関連表示制御部５５６による外観画面の表示制御方法の流れの一例を示すフローチャートである。
【図３１】関連表示制御部５５６による履歴画面の表示制御方法の流れの一例を示すフローチャートである。
【図３２】メニュー画像３００に表示されている呼び出し画像を検索する検索画面７３の一例である。
【図３３】図３３は、直列メニュー画像を表示するメニュー画面７５の一例を示す図である。
【発明を実施するための形態】
【０００９】
以下、実施形態のプログラム、および端末装置の制御方法を、図面を参照して説明する。
【００１０】
図１は、実施形態の情報管理システム１の構成図である。図１に示す通り、情報管理システム１は、一以上の端末装置５０と、情報管理サーバ１００と、地図情報提供サーバ２００とを備える。端末装置５０と、情報管理サーバ１００と、地図情報提供サーバ２００とは、ネットワークＮＷを用いて互いに通信する。ネットワークＮＷは、例えば、ＷＡＮ（Wide Area Network）、ＬＡＮ（Local Area Network）、インターネット、プロバイダ装置、無線基地局、専用回線などのうちの一部または全部を含む。
【００１１】
例えば、端末装置５０は、設備点検に関するドキュメントデータを情報管理サーバ１００からダウンロードし、端末装置５０の利用者による入力に基づく検査結果データを情報管理サーバ１００にアップロードする。端末装置５０の利用者は、例えば、設備点検を行う作業者であって、以下、利用者が作業者である例について説明する。ドキュメントデータは、例えば、設備点検のマニュアル、手順書、点検対象である設備の設計図、修理指示書、その他資料のデータである。ドキュメントデータは、上述したような書類のコンテンツであって、ワードデータ、テキストデータ、画像データ、ＰＤＦデータ等のデータである。
【００１２】
また、端末装置５０は、地図データを表示画面に表示する場合、地図情報提供サーバ２００から地図データをダウンロードする。地図情報提供サーバ２００は、端末装置５０により地図データが要求された場合、自身の記憶部に格納されている地図データのうち、指定された地域の地図データを端末装置５０に送信する。
【００１３】
［端末装置５０］
端末装置５０は、例えば作業者が使用する端末であって、例えば、タブレット端末、スマートフォン、ＰＤＡ（Personal Digital Assistant）等である。
【００１４】
図２は、端末装置５０の構成図である。図２に示す通り、端末装置５０は、例えば、通信部５１と、入力部５２と、表示部５３と、記憶部５４と、アプリ実行部５５とを備える。
【００１５】
通信部５１は、セルラー網やＷｉ−Ｆｉ網等を用いて、ネットワークＮＷに接続するためのハードウェアを有する。例えば、通信部５１は、アンテナおよび送受信装置などを有する。
【００１６】
入力部５２は、例えば、表示部５３と一体として形成されるタッチパネルＴＰ、各種キー、ボタン、ダイヤルスイッチ、マウスなどのうち一部または全部を含む。
【００１７】
表示部５３は、例えば、ＬＣＤ（Liquid Crystal Display）や有機ＥＬ（Electroluminescence）表示装置等である。
【００１８】
記憶部５４は、例えば、ＲＡＭ（Random Access Memory）やＲＯＭ（Read Only Memory）、フラッシュメモリなどにより実現される。記憶部５４は、小型化されたＳＳＤ（Solid State Drive）やＨＤＤ（Hard Disk Drive）により実現されてもよい。記憶部５４には、例えば、情報管理アプリ５４１、階層管理データ５４２、地図対応データ５４３、ドキュメント管理データ５４４、カテゴリデータ５４５、点検項目データ５４６、点検結果データ５４７、設備外観データ５４８、点検個所データ５４９、マスタデータ５５０などの情報が格納される。
【００１９】
情報管理アプリ５４１は、端末装置５０と情報管理サーバ１００とを用いた情報管理機能を実現させるアプリケーションプログラムである。アプリケーションプログラムは、端末装置５０によりネットワークＮＷを介して他装置からダウンロードされてもよいし、実在店舗において可搬型記憶媒体に格納されたものが販売され、可搬型記憶媒体から端末装置にインストールされてもよいし、端末装置５０にプリインストールされていてもよい。
【００２０】
階層管理データ５４２は、点検対象である設備（以下、単に「設備」と記す場合がある）と、その設備が設置されている施設（以下、単に「施設」と記す場合がある）とを階層的に関連付けるデータである。図３は、階層管理データ５４２の内容の一例を示す図である。階層管理データ５４２は、図３に示す通り、例えば、第１階層に対して、第２階層と、第３階層とが対応付けられた情報である。第３階層は、点検対象である設備（以下、単に「設備」と記す場合がある）の名称であり、第２階層は、その設備が設置されている施設の名称であり、第１階層は、その施設の存在する地域（以下、単に「地域」と記す場合がある）である。第１階層が最も上位の階層であり、数字が大きくなるほど、下の階層である。各階層は、例えば、樹形図のような関係性を有しており、上位の階層が指定されると、指定された階層に関連付けられた下の階層が指定される。なお、管理のレベルに応じて「第１階層」は「施設」の名称になる場合もあるし、「設備」の名称になる場合もあるが、ここでは「地域」の名称として説明する。
【００２１】
地図対応データ５４３は、各施設の地図上の位置を示すデータである。図４は、地図対応データ５４３の内容の一例を示す図である。地図対応データ５４３は、図４に示す通り、例えば、施設ＩＤに対して、施設名と、地図座標と、施設ＩＤと、レイアウト座標とを対応付けた情報である。施設ＩＤは、各施設を識別するための識別情報である。施設名は、各施設の名称である。地図座標は、各施設の地図上の位置を示す座標（緯度、経度）である。設備ＩＤは、各設備を識別するための固有情報である。レイアウト座標は、施設や生産ラインの位置を表わす情報であって、これらのレイアウトの座標値（Ｘ座標、Ｙ座標）である。
【００２２】
ドキュメント管理データ５４４は、ドキュメントデータに関する情報である。図５は、ドキュメント管理データ５４４の内容の一例を示す図である。ドキュメント管理データ５４４は、図５に示す通り、例えば、ドキュメントＩＤに対して、施設ＩＤと、設備ＩＤと、ドキュメント名と、サムネイル画像と、ファイル名と、表示アイコン有無とを対応付けた情報である。ドキュメントＩＤは、各ドキュメントデータを識別するための識別情報である。ドキュメント名は、各ドキュメントデータのタイトルである。サムネイル画像は、各ドキュメントデータのサムネイル画像である。ファイル名は、各ドキュメントデータのファイル名である。表示アイコン有無は、各ドキュメントデータに所定の表示アイコンを表示するか否かを示す情報である。また、表示アイコン有無は、表示アイコンを表示する場合に、表示する表示アイコンの種類を示す情報を含んでもよい。
【００２３】
カテゴリデータ５４５は、各カテゴリに関する情報である。図６は、カテゴリデータ５４５の内容の一例を示す図である。カテゴリデータ５４５は、図６に示す通り、例えば、ドキュメントＩＤに対して、施設ＩＤと、設備ＩＤと、カテゴリ名と、カテゴリカラーとを対応付けた情報である。カテゴリは、ドキュメントデータを所定の基準（例えば、属性）で分類するための指標である。カテゴリには、例えば、ドキュメントデータの内容（マニュアル、ノウハウ等）やデータの種類（テキストデータ、画像データ等）等が含まれる。カテゴリカラーは、各カテゴリを色で区別するための情報であって、各カテゴリにはそれぞれ異なる色が割り当てられている。
【００２４】
点検項目データ５４６は、点検対象である設備ごとに予め用意されている作業指示書に関する情報である。作業指示書には、点検項目と、各点検項目についての作業内容等が規定されている。図７は、点検項目データ５４６の内容の一例を示す図である。点検項目データ５４６は、図７に示す通り、例えば、施設ＩＤに対して、設備ＩＤと、作業指示書ＩＤと、点検項目ＩＤと、作業内容と、基準値と、点検種別とを対応付けた情報である。作業指示書ＩＤは、各作業指示書を識別するための識別情報である。点検項目ＩＤは、各点検項目を識別するための識別情報である。作業内容は、各点検項目についての作業内容を示す情報である。作業内容には、例えば、点検対象である設備の外観の確認、パッキンの確認、入口温度、出口温度、油量、圧力値、電力値、電流値等の数値を記録する作業等が含まれる。基準値は、各点検項目において確認や記録が必要な数値についての指標を示すものであって、例えば、上限値、下限値、平均値、標準値等が含まれる。点検種別は、点検項目に応じた点検結果の種類を示す情報である。例えば、「１」は、点検結果として確認した数値を入力する場合であって、「２」は、点検結果として異常の有無を入力する場合である。
【００２５】
点検結果データ５４７は、作業指示書に従って実行された点検作業の結果を示す情報である。図８は、点検結果データ５４７の内容の一例を示す図である。点検結果データ５４７は、図８に示す通り、例えば、施設ＩＤに対して、設備ＩＤと、作業指示書ＩＤと、点検項目ＩＤと、実績作業日と、点検結果とを対応付けた情報である。実績作業日は、作業者により作業された日時であって、例えば、点検結果が入力された日時が自動入力される。点検結果は、点検値と、フラグ値とを含む。点検値は、各点検項目についての点検作業において作業者により確認された数値である。フラグ値は、各点検項目についての点検作業において作業者により確認された異常の有無を示す情報である。フラグ値は、例えば、異常フラグであるか、正常フラグであるかを示す情報である。点検値とフラグ値は、入力部５２を用いて作業者により入力されるが、点検結果データ５４７の入力は作業者にはよらず、センサ等のデータをサーバ経由（情報管理サーバ１００とは別でも同じでも構わない）で取得し、その値を表示部５３の画面上に表示してもよい。なお、点検結果は、各点検項目の過去値であって、例えば、後述する点検項目画面の上に重畳させて表示される入力画面に表示される過去値である。
【００２６】
設備外観データ５４８は、点検対象である各設備の外観画像（以下、単に「外観画像」と記す）に関する情報である。外観画像は、各設備の外観を写した写真であってもよく、イラストであってもよい。図９は、設備外観データ５４８の内容の一例を示す図である。設備外観データ５４８は、図９に示す通り、例えば、設備ＩＤに対して、作業指示書ＩＤと、設備名称と、ファイル名称と、描画データとを対応付けた情報である。設備名称は、点検対象である設備の名称である。ファイル名称は、点検対象である設備の外観画像の画像データのファイル名称である。ファイル名称には、外観画像の画像データも含まれる。描画データは、以下に説明する描画機能を利用して、入力部５２を用いて、作業者により表示部５３に表示された外観画像の上に重ねて描画された画像の画像データである。ここで、外観画像については、描画機能を利用してメモ書きを追加したものを上書きすることで、描画データを一体的に取り込むこともできる。
【００２７】
点検個所データ５４９は、点検対象である各設備の点検個所に関する情報である。図１０は、点検個所データ５４９の内容の一例を示す図である。点検個所データ５４９は、図１０に示す通り、例えば、設備ＩＤに対して、作業指示書ＩＤと、点検項目ＩＤと、点検個所座標とを対応付けた情報である。点検個所座標は、外観画像における各点検個所の位置を示す情報である。
【００２８】
マスタデータ５５０は、点検作業に関する情報である。図１１は、マスタデータ１５０の内容の一例を示す図である。マスタデータ１５０は、例えば、施設ＩＤに対して、設備ＩＤと、担当グループと、担当者と、予定作業日時と、実績作業日時と、完了有無と、配信タイミングとを対応付けた情報である。担当グループは、点検対象である設備の点検を担当するグループを示す情報である。担当者は、点検対象である設備の点検を担当する作業者を示す情報である。担当グループだけが割り当てられ、担当者が割り当てられない場合や、その逆の場合もある。予定作業日時は、点検対象である設備の点検作業が実行される予定の日時を示す情報である。実績作業日時は、点検対象である設備の点検作業が実行された日時を示す情報である。完了有無は、点検作業が完了したか否かを示す情報である。配信タイミングは、点検対象である設備についてのドキュメントデータの配信タイミングを示す情報である。
【００２９】
図２に戻って、端末装置５０の構成について説明を続ける。アプリ実行部５５は、例えば、ＣＰＵ（Central Processing Unit）などのプロセッサが、情報管理アプリ５４１を実行することで実現される。アプリ実行部５５は、例えば、データ管理部５５１と、表示制御部５５２と、登録部５５７とを備える。
【００３０】
データ管理部５５１は、通信部５１を用いて、情報管理サーバ１００から受信した情報を、記憶部５４に格納する。例えば、データ管理部５５１は、情報管理サーバ１００から受信した情報を、階層管理データ５４２、地図対応データ５４３、ドキュメント管理データ５４４、カテゴリデータ５４５、点検項目データ５４６、点検結果データ５４７、設備外観データ５４８、および点検個所データ５４９として記憶部５４に格納する。
【００３１】
表示制御部５５２は、テーマ表示制御部５５３と、メニュー表示制御部５５４と、入力表示制御部５５５と、関連表示制御部５５６とを備える。
【００３２】
テーマ表示制御部５５３は、階層管理データ５４２および地図対応データ５４３を参照して、テーマ指定画面を生成し、表示部５３に表示させる。テーマ指定画面は、ドキュメントデータのテーマを指定するための画面である。ドキュメントデータのテーマは、例えば、ドキュメントデータのまとまりを階層で分類している場合には各階層に含まれる情報（例えば、地域、施設、設備等）である。なお、ドキュメントデータのテーマは、ドキュメントデータのまとまりを表す概念（例えば、説明書等のドキュメントデータの種類）であってもよい。以下、ドキュメントデータのテーマが、点検対象である設備が設置されている各施設である例について説明するが、これに限られない。テーマ指定画面の詳細については、後述する。
【００３３】
メニュー表示制御部５５４は、テーマ指定画面においてテーマが指定された場合、ドキュメント管理データ５４４およびカテゴリデータ５４５を参照して、指定されたテーマに対応するメニュー画像を生成し、表示部５３に表示させる。メニュー画像は、ドキュメントデータを呼び出す操作を受け付ける呼び出し画像を、カテゴリに対応付けて表示する画像である。メニュー表示制御部５５４は、呼び出し画像に対する操作を受け付けた場合、操作された呼び出し画像に対応づけられるドキュメントデータを表示部５３に表示させる。これにより、作業者は、簡単にドキュメントデータの呼び出し操作を行うことができる。また、メニュー表示制御部５５４は、指定されたテーマ（例えば、点検対象である設備）に関連する全てのドキュメントデータの呼び出し画像を、メニュー画像に含める。これにより、作業者は、指定したテーマに関連するドキュメントデータの全体量を簡単に把握することができる。メニュー画像の詳細については、後述する。
【００３４】
入力表示制御部５５５は、点検項目データ５４６を参照して、点検対象である設備ごとに点検項目画面を生成し、表示部５３に表示させる。点検項目画面は、作業指示書に含まれる点検項目を表示するとともに、各点検項目についての点検結果の入力を受け付ける画面である。点検項目画面の詳細については、後述する。
【００３５】
関連表示制御部５５６は、記憶部５４を参照して、点検項目画面に関連する関連画面を、表示部５３に表示させる。関連画面には、例えば、外観画面と、履歴画面とが含まれる。外観画面は、点検項目画面に含まれる点検項目を点検する際の作業箇所を、点検対象である設備の外観画像と関連付けて表示する画面である。履歴画面は、点検項目画面に含まれる点検項目の過去の検査結果を表示する画面である。外観画面と履歴画面の詳細については、後述する。
【００３６】
登録部５５７は、入力表示制御部５５５により生成された点検項目画面において、入力部５２を用いて作業者から入力された点検結果を、点検結果データ５４７の一部として、記憶部５４に書き込む。また、登録部５５７は、所定のタイミングにおいて、記憶部５４から点検結果データ５４７を読み出し、通信部５１を用いて、情報管理サーバ１００にアップロードする。また、登録部５５７は、所定のタイミングにおいて、記憶部５４から設備外観データ５４８の描画データを読み出し、通信部５１を用いて、情報管理サーバ１００にアップロードする。
【００３７】
［情報管理サーバ１００］
図１２は、情報管理サーバ１００の構成図である。図１２に示す通り、情報管理サーバ１００は、例えば、通信部１１０と、入力部１２０と、表示部１３０と、記憶部１４０と、制御部１６０とを備える。
【００３８】
通信部１１０は、例えば、ＮＩＣ（Network Interface Card）などの通信インターフェースを含む。入力部１２０は、例えば、各種キー、ボタン、ダイヤルスイッチ、マウスなどのうち一部または全部を含む。表示部１３０は、例えば、ＬＣＤや有機ＥＬ表示装置などである。
【００３９】
記憶部１４０は、例えば、ＲＡＭやＲＯＭ、ＳＳＤなどのフラッシュメモリ、ＨＤＤなどである。記憶部１４０には、例えば、情報管理アプリ１４１、階層管理データ１４２、地図対応データ１４３、ドキュメント管理データ１４４、カテゴリデータ１４５、点検項目データ１４６、点検結果データ１４７、設備外観データ１４８、点検個所データ１４９、マスタデータ１５０などの情報が格納される。その他、記憶部１４０には、作業者に関するデータ（氏名、年齢、性別等）や設備に関する情報（メーカー名、型式、型番等）などのマスタデータも格納される。記憶部１４０に含まれる情報のうち、端末装置５０において保存されているデータと同じ名称のものは、同じ内容の情報であって、詳細な説明は省略する。
【００４０】
制御部１６０は、登録部１６１と、配信制御部１６２とを備える。登録部１６１は、入力部１２０を用いて、管理者により入力される担当者グループや担当者に関する情報、配信タイミング等を、マスタデータ１５０の一部として、記憶部１４０に格納する。また、登録部１６１は、通信部１１０を用いて、端末装置５０から受信した点検結果を、点検結果データ１４７の一部として、記憶部１４０に格納する。また、登録部１６１は、端末装置５０から受信した情報に基づいて点検結果データ１４７の一部を更新した場合、更新した点検結果に基づいて、マスタデータ１５０の作業日時や完了有無を更新する。配信制御部１６２は、例えば、マスタデータ１５０を参照して、配信タイミングに到達した場合、記憶部１４０から必要な情報を読み出し、読み出した情報を、通信部１１０を用いて端末装置５０に送信する。
【００４１】
次に、端末装置５０に表示される表示画面の一例について説明する。
［テーマ指定画面］
図１３は、テーマ指定画面６１の一例を示す図である。テーマ指定画面６１には、テーマ指定画像６１１，６１２が表示されている。テーマ指定画像６１１，６１２は、各テーマを指定する操作を受け付ける操作画像である。テーマ指定画像６１１，６１２には、テーマ（例えば、各施設の名称）が表示されている。テーマ指定画像６１１，６１２は、背景の地図画像の上に重畳して表示されており、例えば、各施設が存在する地図上の位置に表示されている。
【００４２】
［メニュー画面］
図１４は、メニュー画像を表示するメニュー画面６３の一例を示す図である。メニュー画面６３には、メニュー画像３００が表示されている。図示の通り、メニュー画像３００の背景画像は、例えば、各施設が存在する地域の地図である。
【００４３】
図１５は、メニュー画像３００の一例を示す図である。図１５に示す通り、メニュー画像３００は、少なくとも一以上のカテゴリ画像３１０と、少なくとも一以上の呼び出し画像３３０とを含む。
【００４４】
カテゴリ画像３１０は、例えば、カテゴリ画像３１０Ａ，３１０Ｂ，および３１０Ｃを含む。各カテゴリ画像３１０Ａ〜３１０Ｃは、所定箇所（例えば、中心画像３２０）を取り囲むように配置されている。各カテゴリ画像３１０Ａ〜３１０Ｃは、例えば、円環状の領域を周方向に区切った画像（領域）である。各カテゴリ画像３１０Ａ〜３１０Ｃは、円環状の画像を等分に分割した形状であってもよく、非等分に分割した形状であってもよい。各カテゴリ画像３１０Ａ〜３１０Ｃの大きさ（角度）は、カテゴリの数に応じて決定されてもよく、対応付けられた呼び出し画像３３０の数に応じて決定されてもよい。各カテゴリ画像３１０Ａ〜３１０Ｃの大きさを示す角度を、以下、セグメント角度と記す。図示の例では、カテゴリが３つであるが、これに限られない。例えば、１つであってもよく、２以上であってもよい。
【００４５】
呼び出し画像３３０は、各ドキュメントデータが属するカテゴリを示すカテゴリ画像３１０に対応付けられている。呼び出し画像３３０は、例えば、カテゴリ画像３１０Ａに対応付けられている呼び出し画像３３１Ａ，３３２Ａ，３３３Ａと、カテゴリ画像３１０Ｂに対応付けられている呼び出し画像３３１Ｂ，３３２Ｂ，３３３Ｂと、カテゴリ画像３１０Ｃに対応付けられている呼び出し画像３３１Ｃ，３３２Ｃ，３３３Ｃ、３３４Ｃとを含む。各呼び出し画像３３０は、例えば、ドキュメントデータのサムネイル画像である。なお、サムネイル画像が登録されていない場合、各呼び出し画像３３０は、ドキュメント名やカテゴリを表示した画像や、カテゴリカラーに応じた画像であってもよい。メニュー表示制御部５５４は、ドキュメント管理データ５４４およびカテゴリデータ５４５を参照し、カテゴリ画像３１０が示すカテゴリと対応付けられている全てのドキュメントデータについて、呼び出し画像３３０を作成し、表示させる。
【００４６】
呼び出し画像３３０は、中心画像３２０を中心に、放射状に表示される。呼び出し画像３３０は、中心画像３２０から見て、対応付けられたカテゴリ画像３１０の外側に表示される。各呼び出し画像３３０の少なくとも一部には、対応するカテゴリ画像３１０のカテゴリカラーが付与されている。例えば、各呼び出し画像３３０の一辺が、カテゴリカラーに着色されている。
【００４７】
カテゴリ画像３１０は、カテゴリを示す表示画像であるとともに、対応する呼び出し画像３３０の表示状態を切り替える操作ボタンとして機能する。例えば、カテゴリ画像３１０Ｃがユーザにより操作（例えば、タッチ操作、タップ操作等）されると、対応する呼び出し画像３３１Ｃ〜３３４Ｃの表示を停止させるオフ状態に切り替えられる。図１６は、オフ状態のカテゴリ画像３１０Ｃの一例を示す図である。図１６に示す通り、オフ状態のカテゴリ画像３１０Ｃは、オン状態と異なる表示態様で表示される。例えば、オフ状態のカテゴリ画像３１０Ｃは、オン状態のカテゴリ画像３１０Ａ，３１０Ｂの画像に比べて、明度が反転している。また、カテゴリ画像３１０Ｃの大きさは、オン状態に比べて、オフ状態の方のセグメント角度が小さくなるように表示される。これに連動して、オン状態のカテゴリ画像３１０Ａ，３１０Ｂのセグメント角度が大きくなるように表示される。オン状態のカテゴリ画像３１０Ａ，３１０Ｂのセグメント角度が大きくなることにより、対応する呼び出し画像３３０は広げて表示される。つまり、呼び出し画像３３０がより広い範囲に表示される。これにより、呼び出し画像３３０同士の重なりが少なくなるため、呼び出し画像３３０のサムネイル画像が見やすくなる。
【００４８】
中心画像３２０は、メニュー画面６３の背景（地図画像）の一部であってもよく、指定されているドキュメントデータのテーマを示す画像であってもよい。例えば、中心画像３２０には、各施設の名称が表示される。また、メニュー画像３００の背景がメニュー画面６３に表示されているような地図である場合、中心画像３２０の中心に、指定されたテーマ（例えば、施設）の地図上の位置が位置合わせされてもよい。
【００４９】
また、中心画像３２０は、ドキュメントデータのテーマの指定を受け付ける操作画像であってもよい。例えば、メニュー表示制御部５５４は、階層管理データ５４２を参照して、同じ階層の他の情報を取得し、取得した情報のうちの一つを選択するための選択画面を作成し、中心画像３２０として表示する。メニュー表示制御部５５４は、中心画像３２０として表示された選択画面において、他のテーマが指定された場合、中心画像３２０を指定されたテーマを示す画像に切り替えるとともに、カテゴリ画像３１０と呼び出し画像３３０を指定されたテーマに関連する画像に切り替える。例えば、メニュー表示制御部５５４は、選択画面において指定されたテーマに関連するドキュメントデータのカテゴリ画像３１０および呼び出し画像３３０を上述と同様にして生成し、指定されたテーマについてのメニュー画像３００を、表示部５３に表示させる。これにより、作業者は、テーマ指定画面に戻らずとも、メニュー画像３００を表示している状態から、他のテーマに関連するメニュー画像３００に切り替えることができる。
【００５０】
次に、図１７，１８を参照して、呼び出し画像を用いてドキュメントデータを呼び出す操作とその画面例については説明する。図１７は、ドキュメントデータが展開されていない展開画面４００の一例を示す図である。図１７に示す状態において、メニュー画像３００に含まれる呼び出し画像３３２Ａに対して所定の呼び出し操作（例えば、中心画像３２０から見てカテゴリ画像３１０の外側に呼び出し画像３３２Ａをフリックする操作）がなされた場合、メニュー表示制御部５５４は、ドキュメント管理データ５４４を参照し、呼び出し操作がなされた呼び出し画像３３２Ａに対応付けられているドキュメントデータを読み出し、展開画面４００に表示させる。フリック操作とは、所定の画像や文字列にタッチして、タッチしたままの状態で指をはじく操作である。
【００５１】
図１８は、ドキュメントデータが展開された展開画面４００の一例を示す図である。図１８に示す通り、展開画面４００には、ドキュメント４１０Ａが表示されている。ドキュメント４１０Ａは、呼び出し画像３３２に対応付けられているドキュメントデータの展開データである。ドキュメント４１０Ａの右隅には、ドキュメント４１０Ａを閉じるための閉じるボタン４３０が表示されている。また、展開画面４００の下側には、ドキュメント４１０Ａのアイコン４５０Ａが表示されている。
【００５２】
また、図１８に示す通り、ドキュメントデータが展開された場合、メニュー画像３００において、展開されているドキュメントに対応する呼び出し画像３３２Ａは削除される。例えば、メニュー表示制御部５５４は、呼び出し画像３３２Ａが外側にフリックされた場合、フリックされた方向に呼び出し画像３３２Ａを抜き出してメニュー画像３００から削除するとともに、展開画面４００にドキュメント４１０Ａを展開し、且つ、ドキュメント４１０Ａのアイコン４５０Ａを表示する。
【００５３】
次に、図１９，２０を参照して、展開されたドキュメントを閉じる操作とその画面例について説明する。例えば、図１８の状態から、さらに、呼び出し画像３３１Ａが外側にフリックされた場合、図１９に示す通り、展開画面４００には、呼び出し画像３３１Ａに対応付けられているドキュメント４１０Ｂが表示される。図１９は、ドキュメントデータを閉じる操作について説明するための図である。図１９に示す通り、アイコン４５０Ｂが所定方向（例えば、画面の下側）に向かってフリックされた場合、メニュー表示制御部５５４は、フリックされたアイコン４５０Ｂを削除するとともに、展開画面４００に表示されているドキュメント４１０Ｂを削除する。なお、メニュー表示制御部５５４は、閉じるボタン４３０がタッチ操作された場合、対応するドキュメントを削除してもよい。そして、メニュー表示制御部５５４は、図２０に示す通り、メニュー画像３００に削除されたドキュメント４１０Ｂに対応する呼び出し画像３３１Ａを追加する。図２０は、ドキュメントデータを閉じる操作の後の画面例を示す図である。
【００５４】
［点検項目画面］
図２１は、点検項目画面６５の一例を示す図である。点検項目画面６５は、施設表示欄６５１と、点検項目表示欄６５２とを含む。入力表示制御部５５５は、点検項目データ５４６を参照して、施設ＩＤに対応する施設名を施設表示欄６５１に表示させるとともに、対応する点検指示書ＩＤに対応付けられている全ての点検項目の内容を点検項目表示欄６５２に表示させる。また、入力表示制御部５５５は、点検個所データ５４９を参照して、点検箇所座標が登録されている点検項目については、点検項目表示欄６５２の点検項目の内容を示す文字列の隣に、視点マーク６５３を表示させる。視点マーク６５３は、例えば、人の眼を表したイラストで表現されている。視点マーク６５３は、点検作業において参照する箇所を、点検対象である設備の外観画像上に表示させる指示を、作業者から受け付ける。
【００５５】
点検項目表示欄６５２の各行は、入力操作を受け付ける操作画面になっている。例えば、点検項目表示欄６５２に含まれる一行の一部（例えば、「周辺温度」の文字列）がタッチ操作された場合、入力表示制御部５５５は、指定された検査項目の入力画面６５４と、キーパット６５５とを、点検項目画面６５の上に重畳させて、表示させる。入力画面６５４には、検査項目と、入力欄と、基準値、過去値が表示されている。キーパット６５５は、数字や文字の入力を受け付ける操作画面である。
【００５６】
入力表示制御部５５５は、キーパット６５５を用いて入力された数値が、基準値が示す範囲を超えていた場合、入力画面６５４にその旨を表示する。入力画面６５４Ａは、その一例を示す図である。また、入力表示制御部５５５は、入力された数値が、過去値を基準とした所定範囲外である場合にも、その旨を入力画面６５４に表示してもよい。こうすることにより、作業者は、点検作業をしながら、誤入力であることに気付くことができ、また、点検対象である設備の異常に気付くことができる。
【００５７】
［外観画面］
図２２は、外観画面６７の一例を示す図である。外観画面６７は、点検対象である設備の外観画像を表示する画面であって、点検項目画面６５に並列に表示される。関連表示制御部５５６は、外観画面６７の表示を指示する操作部（点検項目画面６５の一部に設けられている）がタッチ操作された場合、点検項目画面６５において表示されている点検項目データの設備ＩＤと対応付けられている外観画像を、設備外観データ５４８から読み出し、外観画面６７に表示させる。
【００５８】
点検項目画面６５に表示されている視点マーク６５３がタッチ操作された場合、関連表示制御部５５６は、点検個所データ５４９を参照し、タッチ操作された視点マーク６５３に対応する点検個所の点検個所座標を読み出す。関連表示制御部５５６は、読み出した点検個所座標が示す位置に、点検個所マーカー６７１を表示させる。これにより、作業者は、点検個所を視覚的に認識することができ、作業効率が向上するとともに、作業のミスを減らすことができる。
【００５９】
また、関連表示制御部５５６は、外観画面６７に含まれる編集ボタン６７２がタッチ操作された場合、外観画像に対する編集作業を受け付ける。つまり、関連表示制御部５５６は、作業者の指あるいはタッチペンを用いて外観画面６７上に書き込まれた線図（描画データ）を、外観画像に対応付けて記憶部５４に保存する。関連表示制御部５５６は、例えば、設備外観データ５４８の一部として、描画データを、記憶部５４に保存する。
【００６０】
［履歴画面］
図２３は、履歴画面６９の一例を示す図である。履歴画面６９は、各点検項目に対応する過去の点検結果を表す画面であって、点検項目画面６５に並列に表示される。関連表示制御部５５６は、履歴画面６９の表示を指示する操作部がタッチ操作された場合、点検項目画面６５において表示されている点検項目データの作業指示書ＩＤと対応付けられている点検結果データのうち、必要な情報（例えば、過去４回分）を点検結果データ５４７から読み出す。関連表示制御部５５６は、呼び出した情報に基づいて、点検結果画像を作成し、読み出した情報と共に、履歴画面６９に表示する。
【００６１】
点検結果画像には、例えば、過去４回分の点検結果をグラフ化したトレンドグラフや、過去４回分のフラグ値を色分けして表示する画像等が含まれる。図示の例では、最も新しい過去の点検結果の数値や異常フラグ（あるいは正常フラグ）が履歴画面６９の右側に表示されるとともに、点検結果画像を履歴画面６９が左側に表示されている。また、点検項目画面６５に表示されている点検項目と、履歴画面６９に表示されている過去の点検結果とが、同じ行（横方向に高さが同じ位置）となるように、表示されている。これにより、作業者は、各点検項目の点検結果を入力する際に、同じ行の過去の点検結果を参照することができるため、点検作業をしながら、誤入力であることに気付くことができ、また、点検対象の異常に気付くことができる。
【００６２】
［直列メニュー画面］
図２４は、直列メニュー画像を表示するメニュー画面７１の一例を示す図である。例えば、メニュー画面６３に表示されている切り替えボタン（図示せず）がタッチ操作等された場合、メニュー表示制御部５５４は、メニュー画面６３からメニュー画面７１に切り替える。これに限られず、メニュー表示制御部５５４は、メニュー画面６３に表示されているメニュー画像３００に含まれるカテゴリ画像３１０の形状を変更するとともに、カテゴリ画像３１０と呼び出し画像３３０を、メニュー画面７１に示すような配列に並び替えてもよい。
【００６３】
メニュー画面７１には、直列メニュー画像５００が表示されている。直列メニュー画像５００は、少なくとも一以上のカテゴリ画像５１０と、少なくとも一以上の呼び出し画像５３０とを含む。なお、カテゴリ画像５１０および呼び出し画像５３０は、配列を除いて、それぞれ、カテゴリ画像３１０および呼び出し画像３３０と同じであるため、詳細な説明は省略する。
【００６４】
カテゴリ画像５１０は、例えば、カテゴリ画像５１０Ａ，５１０Ｂおよび５１０Ｃを含む。各カテゴリ画像５１０Ａ〜５１０Ｃは、一方向（例えば、縦方向）に配列している。カテゴリ画像５１０Ａ〜５１０Ｃが並べられている方向を、以下、配列方向と記す。図示は省略するが、カテゴリ画像５１０のうちのいずれも選択されていない場合、呼び出し画像５３０は表示されず、カテゴリ画像５１０が表示されている。カテゴリ画像５１０のうちいずれも選択されていない場合、各カテゴリ画像５１０の所定の大きさであって、例えば、全て同じである。
【００６５】
カテゴリ画像５１０のうちいずれか一つが選択された場合、選択されたカテゴリ画像５１０（例えば、カテゴリ画像５１０Ｂ）が選択される前に比べて大きくなり、カテゴリ画像５１０Ｂと隣接する領域に対応付けられている呼び出し画像５３０が表示される。なお、カテゴリ画像５１０の大きさは、対応付けられている呼び出し画像５３０の枚数に応じて決定されてもよい。呼び出し画像５３０は、各カテゴリ画像５１０に対応付けられている。呼び出し画像５３０は、例えば、カテゴリ画像５１０Ｂに対応付けられている呼び出し画像５３１Ｂ〜５３３Ｂを含む。呼び出し画像５３１Ｂ〜５３３Ｂは、カテゴリ画像５１０Ｂの右側に一方向に配列している。
【００６６】
図示の例では、呼び出し画像５３１Ｂ〜５３３Ｂは、カテゴリ画像５１０Ａ〜５１０Ｃの配列方向と同じ方向（縦方向）に一列に並べられている。一方、他のカテゴリ画像５１０（例えば、カテゴリ画像５１０Ｃ）が選択された場合、カテゴリ画像５１０Ｂは元の大きさ（例えば、カテゴリ画像５１０Ａと同じ大きさ）に戻り、選択されたカテゴリ画像５１０Ｃが大きくなる。そして、カテゴリ画像５１０と隣接する領域に、カテゴリ画像５１０Ｃと対応付けられた呼び出し画像５３０が表示される。つまり、カテゴリ画像５１０の選択により、表示する呼び出し画像５３０を切り替えることができる。
【００６７】
このように、カテゴリ画像５１０を縦方向に並べて配置することにより、直列メニュー画像５００を画面の片側に寄せて表示させることができる。よって、直列メニュー画像５００を表示していない側に点検項目画面６５等の他の画面を同時に表示させつつ、直列メニュー画像５００を操作することができる。また、呼び出し画像５３０もカテゴリ画像５１０の配列方向と同じ方向に並べて配置することにより、上記効果を奏することができる。
【００６８】
次に、表示制御部５５２による表示制御方法の流れについて説明する。
［テーマ指定画面の表示制御方法］
図２５は、テーマ表示制御部５５３による表示制御方法の流れの一例を示すフローチャートである。まず、テーマ表示制御部５５３は、第１階層である地域が指定されたか否かを判定する（ステップＳ１０１）。例えば、テーマ表示制御部５５３は、階層管理データ５４２を参照して、第１階層に含まれる地域を示す情報のうちの一つを選択するための選択画面を作成し、表示部５３に表示させる。テーマ表示制御部５５３は、選択画面において一つの地域を示す情報が選択されるまで、ステップＳ１０１の処理を繰り返す。入力部５２を用いて作業者により、選択画面に表示された地域のうち、一つの地域（例えば、「神奈川県（南部）」）が選択されたとする。この場合、テーマ表示制御部５５３は、通信部５１を用いて、指定された地域の地図データの送信リクエストを、地図情報提供サーバ２００に送信する（ステップＳ１０３）。そして、テーマ表示制御部５５３は、通信部５１を用いて、地図情報提供サーバ２００から、指定された地域の地図データを受信する（ステップＳ１０５）。
【００６９】
次いで、テーマ表示制御部５５３は、階層管理データ５４２を参照して、指定された地域と対応づけられている全ての施設を読み出し、読み出した施設についてのテーマ指定画像を生成する（ステップＳ１０７）。つまり、テーマ表示制御部５５３は、階層管理データ５４２を参照して、指定された第１階層に対応する第２階層の情報を読み出し、読み出した第２階層のそれぞれに対応するテーマ指定画像を生成する。
【００７０】
テーマ表示制御部５５３は、ステップＳ１０５において受信した地図データに基づいて、背景画像を生成し、生成した背景画像上の所定の位置にテーマ指定画像を表示するテーマ指定画面を、表示部５３に表示させる（ステップＳ１０９）。具体的には、テーマ表示制御部５５３は、地図対応データ５４３を参照して、ステップＳ１０１において指定された地域に含まれる各施設の地図座標を取得し、取得した地図座標に基づいて、地図上において各施設が存在する地図上の場所に、テーマ指定画像を表示させる。
【００７１】
なお、図示は省略するが、テーマ表示制御部５５３は、施設が指定された後で、施設に点検対象である複数の設備が設置されている場合、複数の設備のうち作業者により点検される一つの設備を選択するためのテーマ指定画面を作成し、表示部５３に表示させてもよい。この場合、テーマ表示制御部５５３は、例えば、施設の地図の背景画像の上に、点検対象である設備の名称を含むテーマ指定画像を、各設備が設置される位置に合わせて表示させるテーマ指定画面を作成する。
【００７２】
［メニュー画面の表示制御方法］
図２６は、メニュー表示制御部５５４による表示制御方法の流れの一例を示すフローチャートである。メニュー表示制御部５５４は、テーマ（例えば、施設）が指定されたか否かを判定する（ステップＳ２０１）。例えば、メニュー表示制御部５５４は、作業者により入力部５２を用いて、テーマ指定画面に表示されているいずれかのテーマ指定画像がタッチ操作されたか否かを判定する。いずれかのテーマ指定画像がタッチ操作された場合、メニュー表示制御部５５４は、指定されたテーマ（施設）についてのメニュー画像を生成する（ステップＳ２０３）。なお、ステップＳ２０３の処理の詳細については、後述する。
【００７３】
メニュー表示制御部５５４は、作成したメニュー画像を、地図画像の上に重ねて表示するメニュー画面を生成し、表示部５３に表示させる（ステップＳ２０５）。地図画像は、指定された施設を含む地域の地図画像であって、既に地図情報提供サーバ２００から受信している画像データである。ステップＳ２０５において、テーマ表示制御部５５３は、テーマ表示制御部５５３により生成されたテーマ指定画面の上に重ねて、メニュー画像を表示させてもよい。
【００７４】
図２７は、メニュー表示制御部５５４によるメニュー画像の生成方法の流れの一例を示すフローチャートである。この処理は、上述したステップＳ２０３の処理に相当する。なお、以下に説明する処理の順番は、一例であって、各処理の順番は、これに限られない。メニュー表示制御部５５４は、カテゴリデータ５４５を参照して、指定されたテーマに対応付けられた全てのカテゴリ名を読み出し、読み出したカテゴリ名に基づいてカテゴリ画像を生成する（ステップＳ２１１）。例えば、メニュー表示制御部５５４は、カテゴリデータ５４５において、指定された施設の施設ＩＤと対応付けられている全てのカテゴリ名を読み出す。なお、読み出したカテゴリ名が複数である場合、メニュー表示制御部５５４は、カテゴリ名の数に応じたセグメント角度の複数のカテゴリ画像を生成し、これらを連結して円環状の図形とする。
【００７５】
次いで、メニュー表示制御部５５４は、ドキュメント管理データ５４４を参照して、指定された施設（テーマ）の施設ＩＤに対応付けられたドキュメントデータを読み出し、読み出したドキュメントデータに基づいて呼び出し画像を生成する（ステップＳ２１３）。例えば、メニュー表示制御部５５４は、指定された施設（テーマ）の施設ＩＤに対応付けられたサムネイル画像を、呼び出し画像とする。メニュー表示制御部５５４は、カテゴリデータ５４５を参照して、呼び出し画像に対応するカテゴリカラーを取得し、各呼び出し画像にカテゴリカラーのカラーバーを付与する（ステップＳ２１５）。メニュー表示制御部５５４は、ドキュメント管理データ５４４を参照して、呼び出し画像について表示アイコンの有無を判定する（ステップＳ２１７）。例えば、呼び出し画像のドキュメントＩＤに対応付けられた表示アイコン有無に、アイコンを表示することや、アイコンの種類を示す情報が含まれている場合、メニュー表示制御部５５４は、読み出し画像について表示アイコンを付与すると判定する。メニュー表示制御部５５４は、表示アイコン有無に含まれる情報に基づいて、表示アイコンを生成し、呼び出し画像に付与する（ステップＳ２１９）。そして、メニュー表示制御部５５４は、全てのドキュメントデータについて、呼び出し画像を生成したか否かを判定する（ステップＳ２２１）。メニュー表示制御部５５４は、全てのドキュメントデータについて、呼び出し画像を生成するまで、ステップＳ２１３に戻って、処理を繰り返す。
【００７６】
全てのドキュメントデータについて、呼び出し画像を生成した場合、メニュー表示制御部５５４は、ステップＳ２１１により生成したカテゴリ画像に、ステップＳ２１３〜Ｓ２１９により生成した呼び出し画像を対応付けたメニュー画像を生成する（ステップＳ２２３）。
【００７７】
図２８は、メニュー画像に対する操作処理の流れの一例を示すフローチャートである。メニュー表示制御部５５４は、作業者により、入力部５２を用いて、メニュー画像に含まれる呼び出し画像がフリックされたか否かを判定する（ステップＳ２３１）。呼び出し画像がフリックされた場合、メニュー表示制御部５５４は、フリックされた呼び出し画像に対応づけられたドキュメントデータを記憶部５４から読み出し、展開画面に表示させる（ステップＳ２３３）。そして、メニュー表示制御部５５４は、メニュー画像から、フリックされた呼び出し画像を削除する（ステップＳ２３５）。
【００７８】
次いで、メニュー表示制御部５５４は、作業者により、入力部５２を用いて、展開画面に表示されているドキュメントデータの削除操作が入力されたか否かを判定する（ステップＳ２３７）。例えば、展開画面の下側に表示されているドキュメントのアイコンが下側にフリックする操作や、展開画面に表示されているドキュメントデータの右上に表示されている閉じるボタンをタッチする操作が入力された場合、メニュー表示制御部５５４は、ドキュメントデータの削除操作が入力されたと判定する。メニュー表示制御部５５４は、展開画面から指定されたドキュメントデータを削除するとともに、展開画面の下側に表示されているドキュメントのアイコンを削除する（ステップＳ２３９）。そして、メニュー表示制御部５５４は、メニュー画像に、削除指示されたドキュメントデータに対応する呼び出し画像を追加する（ステップＳ２４１）。
【００７９】
［点検項目画面の表示制御方法］
図２９は、入力表示制御部５５５による表示制御方法の流れの一例を示すフローチャートである。入力表示制御部５５５は、作成指示書が指定されたか否かを判定する（ステップＳ３０１）。作成指示書が指定された場合、入力表示制御部５５５は、点検項目データ５４６を参照して、指定された作成指示書の作成指示書ＩＤと対応する情報を読み出し、点検項目画面を生成し、表示部５３に表示させる（ステップＳ３０３）。なお、ステップＳ３０１において、入力表示制御部５５５は、点検対象である設備や、その設備が設置されている施設が指定されたか否かを判定することにより、設備あるいは施設に対応付けられている作成指示書が指定されたか否かを間接的に判定してもよい。
【００８０】
入力表示制御部５５５は、入力欄が指定されたか否かを判定する（ステップＳ３０５）。例えば、入力部５２を用いて作業者により、点検項目表示欄に表示されている点検項目のうち、点検値を入力する検査項目がタッチ操作された場合、入力表示制御部５５５は、入力欄が指定されたと判定する。次いで、入力表示制御部５５５は、指定された点検項目について、補助情報が関連付けられているか否かを判定する（ステップＳ３０７）。補助情報とは、入力の際に作業者の作業を助ける情報であって、入力画面に表示させる情報である。例えば、入力表示制御部５５５は、点検項目データ５４６を参照し、指定された点検項目の点検項目ＩＤに対応付けられた作業内容、基準値、過去値（点検結果データ５４７の点検結果を参照する、以下同じ）が登録されていない場合、補助情報が関連付けられていないと判定する。そして、入力表示制御部５５５は、点検項目の名称と、入力欄とを表示する入力画面を生成し、生成した入力画面を点検項目画面の上に重ねて、表示部５３に表示させる（ステップＳ３０９）。入力表示制御部５５５は、作業者により入力部５２を用いて、点検値が入力されたか否かを判定する（ステップＳ３１１）。点検値が入力された場合、入力表示制御部５５５は、入力された点検値を、点検結果データ５４７の一部として、記憶部５４に格納する（ステップＳ３１３）。
【００８１】
一方、ステップＳ３０７において、補助情報が関連付けられていると判定した場合、入力表示制御部５５５は、点検項目データ５４６を参照し、補助情報（つまり、指定された点検項目の点検項目ＩＤに対応付けられた作業内容、基準値、過去値等）を読み出す。入力表示制御部５５５は、読み出した補助情報を含む入力画面を生成し、生成した入力画面を点検項目画面の上に重ねて、表示部５３に表示させる（ステップＳ３１５）。次いで、入力表示制御部５５５は、作業者により入力部５２を用いて、点検値が入力されたか否かを判定する（ステップＳ３１７）。点検値が入力された場合、入力表示制御部５５５は、入力された点検値に異常があるか否かを判定する（ステップＳ３１９）。例えば、入力表示制御部５５５は、入力された点検値が、基準値が示す範囲外である場合、異常があると判定する。異常があると判定した場合、入力表示制御部５５５は、エラーメッセージを入力画面に表示させる（ステップＳ３２１）。異常がないと判定した場合、入力表示制御部５５５は、入力された点検値を、点検結果データ５４７の一部として、記憶部５４に格納する（ステップＳ３１３）。
【００８２】
次いで、入力表示制御部５５５は、点検項目表示欄に表示されている異常フラグ等が操作されたか否かを判定する（ステップＳ３２３）。例えば、入力表示制御部５５５は、入力部５２を用いて作業者により、点検項目表示欄に表示されている点検項目のうち、異常フラグあるいは正常フラグを入力する検査項目がタッチ操作された場合、異常フラグ等が操作されたと判定する。異常フラグ等が操作され、異常フラグと正常フラグとのうちいずれかが指定された場合、入力表示制御部５５５は、指定された方のフラグを、点検結果データ５４７の一部として、記憶部５４に格納する（ステップＳ３２５）。
【００８３】
［点検項目画面の表示制御方法］
図３０は、関連表示制御部５５６による外観画面の表示制御方法の流れの一例を示すフローチャートである。関連表示制御部５５６は、入力部５２を用いて作業者により、点検項目画面の一部に設けられた操作部であって、外観画面の表示を指示する操作部がタッチ操作されたか否かを判定する（ステップＳ４０１）。外観画面の表示を指示する操作部がタッチ操作された場合、関連表示制御部５５６は、設備外観データ５４８を参照して、並列して表示されている点検項目画面に表示されている作業指示書の作業指示書ＩＤ（あるいは設備ＩＤ）に対応付けられた外観画像を読み出し、読み出した外観画像を含む外観画面を、表示部５３に表示させる（ステップＳ４０３）。また、関連表示制御部５５６は、点検個所データ５４９を参照して、並列して表示されている点検項目画面に表示されている作業指示書の作業指示書ＩＤ（あるいは設備ＩＤ）に対応付けられた点検個所座標を読み出す。関連表示制御部５５６は、読み出した点検個所座標に基づいて、外観画像上の点検個所の位置に、点検個所マーカーを表示させる（ステップＳ４０５）。
【００８４】
次いで、関連表示制御部５５６は、入力部５２を用いて作業者により、外観画像上の点検個所マーカーがタップ操作されたか否かを判定する（ステップＳ４０７）。点検個所マーカーがタップ操作された場合、関連表示制御部５５６は、点検項目画面に表示されている点検項目のうち、タップ操作された点検個所マーカーに対応する点検項目を強調表示（例えば、点滅、太字にする、文字のサイズを大きくする等）する（ステップＳ４０９）。
【００８５】
また、関連表示制御部５５６は、入力部５２を用いて作業者により、点検項目画面に表示されている視点マークがタップ操作されたか否かを判定する（ステップＳ４１１）。視点マークがタップ操作された場合、関連表示制御部５５６は、外観画面内において、外観画像上に表示されている点検個所マーカーのうち、タップ操作された視点マークの点検個所ＩＤと対応付けられている点検個所マーカーを強調表示（例えば、点滅）する（ステップＳ４１３）。
【００８６】
図３１は、関連表示制御部５５６による履歴画面の表示制御方法の流れの一例を示すフローチャートである。関連表示制御部５５６は、入力部５２を用いて作業者により、点検項目画面６５の一部に設けられた操作部であって、履歴画面の表示を指示する操作部がタッチ操作されたか否かを判定する（ステップＳ４３１）。履歴画面の表示を指示する操作部がタッチ操作された場合、関連表示制御部５５６は、点検結果データ５４７を参照して、並列して表示されている点検項目画面に表示されている作業指示書の作業指示書ＩＤ（あるいは設備ＩＤ）に対応付けられた点検値とフラグ値を読み出し、読み出した点検値とフラグ値に基づき履歴画面を生成し、表示部５３に表示させる（ステップＳ４３３）。
【００８７】
以上説明した少なくとも一つの実施形態によれば、ドキュメントデータのカテゴリを示すカテゴリ画像と、ドキュメントデータを読み出すための呼び出し画像とを含むメニュー画像を生成し、生成したメニュー画像を端末装置５０に表示させることにより、端末装置５０において情報を表示する際の利便性を向上させることができる。
【００８８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００８９】
例えば、呼び出し画像は、カテゴリ画像の内側に表示されてもよい。
【００９０】
少なくとも一つのカテゴリ画像を連結した形状は、円環状に限られず、円形や、三角形、四角形、その他、多角形等であってもよい。また、中心画像はなくてもよい。なお、連結するカテゴリ画像の数に応じた図形であってもよい。例えば、カテゴリの数が３の場合、三角形であって、カテゴリの数が４の場合、四角形であってもよい。
【００９１】
中心画像は、既に指定されているテーマと同じ階層の情報を選択するための選択画面に限られず、異なる階層を選択するための選択画面であってもよく、異なる階層に含まれる情報のうちのいずれかを選択するための選択画面であってもよい。例えば、中心画像にいずれかの施設が表示されている場合、中心画像がタッチされた後、メニュー表示制御部５５４は、階層管理データ５４２を参照して、他の施設を選択する選択画面を中心画像として表示してもよく、地域あるいは設備を選択する選択画面を中心画像として表示してもよく、地域（あるいは設備）のうちのいずれかを選択する選択画面を中心画像として表示してもよい。
【００９２】
直列メニュー画像に含まれる各カテゴリ画像は、横方向に直列に配置されてもよい。
【００９３】
呼び出し画像が大量である場合、カテゴリ画像のセグメント角度や大きさを大きくすることで、大量の呼び出し画像の間隔を設けるようにしてもよい。これにより、呼び出し画像をフリックしやすくなる。また、この場合、円周方向に並べられた複数の呼び出し画像の外側（中心画像からみて外側）に、呼び出し画像を並べて表示してもよい。また、この場合、長押し操作等により拡大表示をする画面を表示させて、拡大表示された画面において、呼び出し画像をフリックできるようにしてもよい。
【００９４】
作業者の操作に基づいて、カテゴリ画像のセグメント角度や大きさを変更してもよい。これにともない、カテゴリ画像に対応付けられた呼び出し画像同士をより広げて表示してもよい。これにより、呼び出し画像同士の間隔が広がるため、呼び出し画像を操作しやすくなる。
【００９５】
カテゴリ画像を円周方向に回転させる操作を受け付けた場合、カテゴリ画像を回転させてもよい。これに伴い、呼び出し画像の表示位置も変更される。
【００９６】
図１４に示すようなメニュー画面６３から、図２４に示すようなメニュー画面７１に変更し、この逆の変更がなされてもよい。例えば、メニュー画面６３に、メニュー画面７１に変更するための操作アイコンを表示させておき、操作アイコンを所定の方向にフリックすると、メニュー画面７１に変更する。この逆の変更のときも、同じような操作アイコンを表示させることで実現できる。この操作アイコンは、例えば、円形の図形と、フリックする方向を示す図形（例えば、三角形）とを組わせた形状である。
【００９７】
メニュー画像３００に表示されている呼び出し画像を検索する検索機能を備えていてもよい。図３２は、メニュー画像３００に表示されている呼び出し画像を検索する検索画面７３の一例である。例えば、検索画面には、メニュー画像３００と、検索バー７３Ａとが表示されている。検索バー７３Ａに、検索キーワード（例えば、マニュアル）が入力され、ＳＥＡＲＣＨボタンがクリックされた場合、メニュー表示制御部５５４は、ドキュメント管理データ５４４やカテゴリデータ５４５を参照して、入力された検索キーワードと関連するドキュメントデータを検索する。例えば、メニュー表示制御部５５４は、ドキュメント名やカテゴリ名に、検索キーワードを含むドキュメントデータを検索する。検索によりドキュメントデータを得た場合、メニュー表示制御部５５４は、検索により得たドキュメントデータの呼び出し画像（図示の例では、呼び出し画像３３１Ｂ）を、中心画像３２０からみて外側に飛び出させる。これに限られず、メニュー表示制御部５５４は、検索により得たドキュメントデータの呼び出し画像を強調表示（点滅、他の呼び出し画像と異なる色で表示する等）してもよい。これにより、メニュー画像３００に含まれる呼び出し画像の中から、作業者は所望のドキュメントデータを検索することができる。
【００９８】
直列メニュー画像は、以下に説明するようなものであってもよい。図３３は、直列メニュー画像を表示するメニュー画面７５の一例を示す図である。メニュー画面７５には、直列メニュー画像５０１が表示されている。直列メニュー画像５０１は、上述した直列メニュー画像５００と、呼び出し画像５３０の配列方向と表示方法が異なる。その他、同じものには同一の符号を付して詳細な説明は省略する。
【００９９】
図３３に示す通り、呼び出し画像５３０は、各カテゴリ画像５１０に対応付けられている。呼び出し画像５３０は、例えば、カテゴリ画像５１０Ａに対応付けられている呼び出し画像５３１Ａ〜４３４Ａと、カテゴリ画像５１０Ｂに対応付けられている呼び出し画像５３１Ｂ〜５３３Ｂと、カテゴリ画像５１０Ｃに対応付けられている呼び出し画像５３１Ｃ〜５３４Ｃとを含む。呼び出し画像５３０は、カテゴリ画像５１０の配列方向と異なる方向に一列に配置されている。図示の例では、呼び出し画像５３１Ａ〜５３４Ａは、カテゴリ画像５１０Ａの右側に、呼び出し画像５３１Ｂ〜５３３Ｂは、カテゴリ画像５１０Ｂの右側に、呼び出し画像５３１Ｃ〜５３４Ｃは、カテゴリ画像５１０Ｃの右側に、一方向に配列している。
【０１００】
端末装置５０の記憶部５４に格納されているデータと、情報管理サーバ１００の記憶部１４０に格納されているデータとの同期は、作業者により指示されてもよい。例えば、表示制御部５５２は、いずれかの表示画面（例えば、メニュー画面）に、同期を指示する操作アイコンを表示させる。この操作アイコンが作業者により操作された場合、データ管理部５５１は、記憶部５４に格納されているデータあるいは格納すべきデータ（つまり、作業者の作業担当となっている点検対象に関連するすべてのデータ）の送信を、情報管理サーバ１００に要求し、受信した情報に基づいて記憶部５４を更新する。また、表示制御部５５２は、ドキュメントデータごとに同期（更新）を受け付ける操作アイコンを、例えば、いずれかの表示画面（例えば、メニュー画面）に表示させてもよい。この操作アイコンが作業者により操作された場合、データ管理部５５１は、指定されたドキュメントデータの送信を、情報管理サーバ１００に要求し、受信した情報に基づいて記憶部５４を更新する。
【０１０１】
上記実施形態では、点検現場において作業員により使用されるシーンを想定して記載したが、これに限られない。例えば、実施形態の情報管理システム１は、飛行場での整備業務や、スーパーやコンビニでの商品管理等で利用可能である。飛行場での整備業務では、より正確な確認作業が求められるが、実施形態の情報管理システム１を利用することにより、確認作業の効率化を図ることができるとともに、作業の正確性を向上させることができる。また、商品管理業務では、在庫数や発注数を正確に管理することが求められる。また、過去の同じ時期の発注数や先月の発注数を参考にして、発注数を決定するなどの作業も多く、このような作業においても有効である。
【符号の説明】
【０１０２】
１…情報管理システム、５０…端末装置、５１…通信部、５２…入力部、５３…表示部、５４…記憶部、５５…アプリ実行部、５４１…報管理アプリ、５４２…階層管理データ、５４３…地図対応データ、５４４…ドキュメント管理データ、５４５…カテゴリデータ、５４６…点検項目データ、５４７…点検結果データ、５４８…設備外観データ、５４９…点検個所データ、５５１…データ管理部、５５２…表示制御部、５５３…テーマ表示制御部、５５４…メニュー表示制御部、５５５…入力表示制御部、５５６…関連表示制御部、５５７…登録部、１００…情報管理サーバ、１１０…通信部、１２０…入力部、１３０…表示部、１４０…記憶部、１６０…制御部、２００…地図情報提供サーバ
【図１】
2019087109.tif 000003
【図２】
2019087109.tif 000004
【図３】
2019087109.tif 000005
【図４】
2019087109.tif 000006
【図５】
2019087109.tif 000007
【図６】
2019087109.tif 000008
【図７】
2019087109.tif 000009
【図８】
2019087109.tif 000010
【図９】
2019087109.tif 000011
【図１０】
2019087109.tif 000012
【図１１】
2019087109.tif 000013
【図１２】
2019087109.tif 000014
【図１３】
2019087109.tif 000015
【図１４】
2019087109.tif 000016
【図１５】
2019087109.tif 000017
【図１６】
2019087109.tif 000018
【図１７】
2019087109.tif 000019
【図１８】
2019087109.tif 000020
【図１９】
2019087109.tif 000021
【図２０】
2019087109.tif 000022
【図２１】
2019087109.tif 000023
【図２２】
2019087109.tif 000024
【図２３】
2019087109.tif 000025
【図２４】
2019087109.tif 000026
【図２５】
2019087109.tif 000027
【図２６】
2019087109.tif 000028
【図２７】
2019087109.tif 000029
【図２８】
2019087109.tif 000030
【図２９】
2019087109.tif 000031
【図３０】
2019087109.tif 000032
【図３１】
2019087109.tif 000033
【図３２】
2019087109.tif 000034
【図３３】
2019087109.tif 000035